(57)【特許請求の範囲】
【請求項１】
センタ側通信装置と、複数のユーザ側通信装置とを光伝送路及びその光伝送路を前記各ユーザ側通信装置ごとに分岐する光分岐装置を用いて接続し、それらの間で波長多重を用いた双方向通信を行う波長多重光伝送システムにおいて、
前記光分岐装置と前記各ユーザ側通信装置との間にはそれぞれ光減衰器が設置されており、
前記各ユーザ側通信装置は、前記センタ側通信装置から送信された光信号を受信する光受信部と、前記センタ側通信装置に光信号を送信する光送信部と、前記光受信部によって受信された時の光信号の第１の受光レベルに基づいて、前記光送信部を制御する監視制御部とを有し、
前記監視制御部は、前記光送信部から送信される光信号の第１の光レベル、前記センタ側通信装置から送信される光信号の第２の光レベル及び前記第１の受光レベルに基づいて、前記光送信部から送信され、前記センタ側通信装置に受信される時の光信号の第２の受光レベルを予測し、前記予測された第２の受光レベルが基準の範囲内である場合には、光信号を送信するように前記光送信部を制御し、前記予測された第２の受光レベルが基準の範囲外である場合には、前記光減衰器を制御して、送信する光信号の光減衰量を調整する、
ことを特徴とする波長多重光伝送システム。
【請求項２】
前記センタ側通信装置は、回線運用中の他のユーザ側通信装置から送信された光信号が前記センタ側通信装置に受信された時の受光レベル情報を、前記ユーザ側通信装置に送信し、
前記ユーザ側通信装置は、前記受光レベル情報を受信し、
前記監視制御部は、前記受信された受光レベル情報を、制御するための判断要素とする、
ことを特徴とする請求項１に記載の波長多重光伝送システム。
【請求項３】
前記各ユーザ側通信装置は、回線運用中の他のユーザ側通信装置から送信された光信号が前記センタ側通信装置に受信された時の受光レベル情報を記憶する記憶手段を有し、
前記監視制御部は、前記記憶手段に記憶された受光レベル情報を、制御するための判断要素とする、
ことを特徴とする請求項１又は２に記載の波長多重光伝送システム。
【発明の詳細な説明】
【０００１】
【発明の属する技術分野】
本発明は、センタ側通信装置と複数のユーザ側通信装置とを光伝送路及びその光伝送路を各ユーザ側通信装置ごとに分岐する光分岐装置を用いて接続し、それらの間で波長多重を用いた双方向通信を行う波長多重光伝送システムに関する。
【０００２】
【従来の技術】
この種の波長多重光伝送システムとしては、例えば特開昭６１−６９２９４号公報等に提案されている。図３は、従来の波長多重光伝送システムの構成を示すブロック図である。
【０００３】
図３に示すように、波長多重光伝送システムは、センタ局に設置されるセンタ側通信装置Ｃと、複数のユーザに各々設置されるユーザ側通信装置Ｕ（Ｕａ，Ｕｂ，・・・Ｕｎ）と、センタ側通信装置Ｃとユーザ側通信装置Ｕとを接続する光ファイバ等の１本の光伝送路１と、その光伝送路１の途中に設置される合分波装置２と、その合分波装置２を介して光伝送路１を各ユーザ側通信装置Ｕごとに分岐する光分岐路３とから構成され、光伝送路１、光分岐路３を介して、波長多重を用いた双方向通信を行うことができる。
【０００４】
センタ側通信装置Ｃは、各ユーザに対応して設けられた複数の光送信部４（４ａ、４ｂ・・・４ｎ）と、その光送信部４から出力される光送信信号を波長合波する光カプラ等の波長合波部５ａと、その波長合波部５ａから出力される信号を光伝送路１に送信するとともに、光伝送路１から伝送された信号を受信する合分波部６と、各ユーザに対応して設けられた複数の光受信部７（７ａ、７ｂ・・・７ｎ）と、合分波部６によって受信された光受信信号を波長分離して、各光受信部７に入力する波長分離部５ｂと、を有する。
【０００５】
なお、ここでは、光送信部４ａと光受信部７ａ、・・・光送信部４ｎ、光受信部７ｎがそれぞれユーザに割り当てられるものとする。
【０００６】
光送信部４は、それぞれセンタ側の外部装置（図示せず）から伝送された電気信号を光送信信号に変換する電気ー光変換機能を有し、光受信部７は、それぞれ光受信信号を外部装置に伝送すべき電気信号に変換する光ー電気変換機能を有する。
【０００７】
各ユーザ側通信装置Ｕは、光送信部８と、光受信部９と、光送信部８から出力される光送信信号を光分岐路３に伝送するとともに、光分岐路３から伝送された信号を受信し、光受信部９に入力する合分波フィルタ部１０と、を有する。
【０００８】
光送信部８は、ユーザ側の外部装置（図示せず）から伝送された電気信号を光送信信号に変換する電気ー光変換機能を有し、光受信部９は、光受信信号を外部装置に伝送すべき電気信号に変換する光ー電気変換機能を有する。
【０００９】
また、合分波フィルタ部１０は、図４に示すように、例えば光カプラ等の合分波部１１と、必要とされる波長信号に分離するための波長分離フィルタ部１２とから構成されている。
【００１０】
上記の波長多重光伝送システムでは、通常、各ユーザ側通信装置Ｕが異なる地点に配置されているので、各ユーザ側通信装置Ｕａ、Ｕｂ・・・Ｕｎとセンタ側通信装置Ｃとの間の伝送線路長Ｌａ、Ｌｂ・・・Ｌｎがユーザごとに異なる。そのため、各ユーザ側通信装置Ｕの光送信部８から出力される光レベルを同一にすると、センタ側通信装置Ｃの光受信部７で受信される各ユーザごとの光レベルは、光線路損失によって異なることになる。
【００１１】
ここで、波長多重光伝送システムにおいては、ある回線の主信号は他の回線では妨害信号となってしまうが、センタ側通信装置Ｃの波長分離部５ｂにおいては、各ユーザごとの光レベルの差が大きい場合であっても、他の回線への影響を与えないようにすることが必要である。そのため、波長分離部５ｂは、図５に示すように、各光受信部７が所要Ｄ／Ｕ比（Ｄは主信号λ１（必要信号）の光レベル、Ｕは妨害信号λ２（不要信号）の光レベル）を満足するように分離出力するフィルタ特性が要求される。
【００１２】
しかし、各ユーザ同士で伝送線路長の差が非常に大きい場合、急峻なフィルタ特性を有する波長分離器を必要とする。例えば、図６に示すように、光受信部７の受光レベル範囲を、最小Ｌ（ｄＢｍ）から最大Ｈ（ｄＢｍ）までとする。もし、単に信号λ１、λ２をこの受光レベル範囲Ｌ〜Ｈで受信するだけならば、伝送線路長の差は、この受光レベル範囲により吸収することができるが、このとき信号λ２は、主信号λ１の回線では妨害信号となるので、信号λ２の光レベルが高くなる（例えば、受光レベルＨとなる）ことは、主信号λ１の回線における妨害信号λ２の受光レベルも高くなってしまうことを意味する。そこで、各光受信部７は、前述した所要Ｄ／Ｕ比を確保するためには、図７（Ａ）に示すように、光レベルが高い妨害信号λ２をフィルタリングするのに急峻なフィルタ特性を有する高価な波長分離器が必要となり、安価な光伝送システムを実現することができなくなる。
【００１３】
そこで、図８に示すように、光分岐路３に所望の光減衰量の光減衰器１３を適宜挿入することにより、図７（Ｂ）に示すように、光受信部７の最大受光レベルをＨからＭに制限することが行われている。これによって、主信号λ１の回線における妨害信号λ２の光レベルを下げることができるので、穏やかなフィルタ特性を有する安価な波長分離器を用いても、所要Ｄ／Ｕ比を満足するように、妨害信号λ２をフィルタリングすることができ、安価な光伝送システムを実現することが可能となる。
【００１４】
【発明が解決しようとする課題】
ここで、例えば、ユーザ側通信装置Ｕａとセンタ側通信装置Ｃの光送信部４ａ、光受信部７ａが既に回線運用中であり、他のユーザ側通信装置Ｕｂを新たに設置する場合、予め光分岐路３に適切な光減衰量の光滅衰器１３を挿入していれば特に問題はない。
【００１５】
しかし、誤って光減衰器１３を挿入することなく運用を開始したり、伝送線路長が非常に短い回線に対して光減衰量の小さい光減衰器１３を挿入して運用を開始した場合、所要Ｄ／Ｕ比を超える不要な妨害信号λ２が光受信部７に入り込むため、主信号λ１にエラーが発生したり、信号同期が損なわれる等、他の運用中の回線に悪影響を与えることになり、場合によっては、これら他の運用中の回線が停止するおそれもあった。
【００１６】
本発明は上記課題を解決するためになされたものであり、ユーザ側通信装置とセンタ側通信装置との伝送線路長がユーザごとに異なる場合であっても、他の回線に対して悪影響を与えることがなく安定して運用することができる波長多重光伝送システムを提供することを目的とする。
【００１７】
【課題を解決するための手段】
本発明の波長多重光伝送システムは、センタ側通信装置と、複数のユーザ側通信装置とを光伝送路及びその光伝送路を前記各ユーザ側通信装置ごとに分岐する光分岐装置を用いて接続し、それらの間で波長多重を用いた双方向通信を行う波長多重光伝送システムにおいて、
前記光分岐装置と前記各ユーザ側通信装置との間にはそれぞれ光減衰器が設置されており、
前記各ユーザ側通信装置は、前記センタ側通信装置から送信された光信号を受信する光受信部と、前記センタ側通信装置に光信号を送信する光送信部と、前記光受信部によって受信された時の光信号の第１の受光レベルに基づいて、前記光送信部を制御する監視制御部とを有し、
前記監視制御部は、前記光送信部から送信される光信号の第１の光レベル、前記センタ側通信装置から送信される光信号の第２の光レベル及び前記第１の受光レベルに基づいて、前記光送信部から送信され、前記センタ側通信装置に受信される時の光信号の第２の受光レベルを予測し、前記予測された第２の受光レベルが基準の範囲内である場合には、光信号を送信するように前記光送信部を制御し、前記予測された第２の受光レベルが基準の範囲外である場合には、前記光減衰器を制御して、送信する光信号の光減衰量を調整する  ことを特徴とするものである。
【００１８】
前記センタ側通信装置は、回線運用中の他のユーザ側通信装置から送信された光信号が前記センタ側通信装置に受信された時の受光レベル情報を、前記ユーザ側通信装置に送信し、前記ユーザ側通信装置は、前記受光レベル情報を受信し、前記監視制御部は、前記受信された受光レベル情報を、制御するための判断要素としてもよい。
【００１９】
前記各ユーザ側通信装置は、回線運用中の他のユーザ側通信装置から送信された光信号が前記センタ側通信装置に受信された時の受光レベル情報を記憶する記憶手段を有し、前記監視制御部は、前記記憶手段に記憶された受光レベル情報を、制御するための判断要素としてもよい。
【００２０】
本発明の波長多重光伝送システムによれば、ユーザ側通信装置が、送信される予定の光信号がセンタ側通信装置に適切な光レベルで受信されるか否かを判断し、適切であると判断した場合に限り前記光信号を送信し、適切でないと判断した場合には、例えばディスプレイ等にその旨を表示したり、プリンタによってその旨を印刷したり、ランプを点灯・点滅したりして警告表示する。また、可変減衰器の光減衰量を変更してもよい。
【００２１】
【発明の実施の形態】
以下、本発明の実施の形態を図面を参照しながら説明する。図１は、本発明の実施の形態に係る波長多重光伝送システムの全体構成を示すブロック図である。なお、従来の波長多重光伝送システムと同一の装置は同一の符号を付して説明する。
【００２２】
図１に示すように、本発明の実施の形態に係る波長多重光伝送システムにおけるセンタ側通信装置Ｃは、受信した光信号の受光レベルを検出し、受光レベルの情報Ｓ１として出力する光受信部７と、その各受光レベルの情報Ｓ１を集約した受光レベル情報Ｓ２を光送信部４に送信する監視制御部１４を有する。光送信部４は、監視制御部１４から受光レベル情報Ｓ２を受信した場合、各ユーザ側通信装置Ｕに転送する。
【００２３】
一方、各ユーザ側通信装置Ｕは、センタ側通信装置Ｃから送信された光信号を光受信部９が受信した際の光レベルを検出し、その検出結果に基づいて、ユーザ側通信装置Ｕから送信する予定の光信号がセンタ側通信装置Ｃに適切な光レベルとして受信されるか否かを判断し、適切であると判断した場合に限り光送信制御信号Ｓ３を光送信部８に送信する監視制御部１５を有する。各ユーザ側通信装置Ｕの光送信部８は、監視制御部１５から光送信制御信号Ｓ３を受信した場合に限り、光信号を送信し、監視制御部１５から光送信制御信号Ｓ３を受信しなければ光信号を送信することはない。監視制御部１５は、上記の判断を行うために、センタ側通信装置Ｃから受光レベル情報Ｓ２を光受信部９を介して受信する。
【００２４】
次に、ユーザ側通信装置Ｕａとセンタ側通信装置Ｃの光送信部４ａ、光受信部７ａ間が回線運用中とし、ユーザ側通信装置Ｕｂを新たに設置する場合における本発明の実施の形態の動作を説明する。
【００２５】
まず、合分波装置２と新たなユーザ側通信装置Ｕｂとの間に適当な光減衰量の光減衰器１３を挿入し、その新たなユーザ側通信装置Ｕｂに対応する新たな光送信部４ｂと光受信部７ｂとをセンタ側通信装置Ｃに設置する。ユーザ側通信装置Ｕｂの光送信部８ｂは、監視制御部１５ｂから光送信制御信号Ｓ３を受信しない間は、光信号を送信することはないので、接続した段階では他の運用中の回線に影響を与えることはない。
【００２６】
一方、既に回線運用中のセンタ側通信装置Ｃの光受信部７ａでは、その光受信部７ａに受信された光レベルを検出して、受光レベルの情報Ｓ１を監視制御部１４に送信している。監視制御部１４は、この受光レベルを常に監視しており、回線運用中の全ての又は適宜選択された受光レベルの情報Ｓ１を、受光レベル情報Ｓ２として光送信部４に送信している。
【００２７】
例えば、ここでは既存の運用中回線のうち、最初に運用を開始した回線におけるセンタ側通信装置Ｃの光受信部７ａの受光レベルを基準値として、受光レベル情報Ｓ２に格納する。
【００２８】
センタ側通信装置Ｃの新たに設置された光送信部４ｂは、監視制御部１４からの受光レベル情報Ｓ２を受信し、光伝送線路１、合分波装置２、光分岐路３、新たなユーザ側通信装置Ｕｂの光受信部９ｂを介して監視制御部１５ｂに送信する。これによって、新設するユーザ側通信装置Ｕｂの監視制御部１５ｂは、現在回線運用中のセンタ側通信装置Ｃの光受信部７ａにおける受光レベルを知ることができる。
【００２９】
また、本実施の形態例では、センタ側通信装置Ｃの新たに設置される光送信部４ｂは接続と同時に無条件に光を出力するため、対向するユーザ側通信装置Ｕｂの光受信部９ｂは、自身での受光レベル（光伝送路１、光分岐路３等の滅衰後の光レベル）を検出することができる。光受信部９ｂは、検出した受光レベル情報Ｓ４を監視制御部１５ｂに送信する。
【００３０】
ここで、ユーザ側通信装置Ｕの光送信部８から送信される信号の受光レベルをＳＵとし、その信号がセンタ側通信装置Ｃの光受信部７に受信された時の受光レベルをＲＣとし、センタ側通信装置Ｃの光送信部４から送信される信号の光レベルをＳＣとし、その信号がユーザ側通信装置Ｕの光受信部９に受信された時の受光レベルをＲＵとする。本システムは双方向伝送であるので、ユーザ側通信装置Ｕからセンタ側通信装置Ｃに向かう信号の光減衰量と、センタ側通信装置Ｃからユーザ側通信装置Ｕに向かう信号の光滅衰量とは等しい。従って、
ＲＣ＝ＳＵ−（ＳＣ−ＲＵ）
という式が成立する。ＳＵはこれからユーザ側通信装置Ｕが送信する予定の受光レベルであるので送信前に知ることができる。ＳＣは一定値としてユーザ側通信装置Ｕ内に記憶されている。ＲＵはユーザ側通信装置Ｕの光受信部９から送られる受光レベル情報Ｓ４で知ることができる。よってＲＣを求めることができる。
【００３１】
なお、センタ側通信装置Ｃの光送信部４から出力される光レベルＳＣは、光受信部７における受光レベル情報Ｓ２とともに、ユーザ側通信装置Ｕに送信するようにしてもよい。
【００３２】
このように、ユーザ側通信装置Ｕｂの監視制御部１５ｂは、ユーザ側通信装置Ｕｂが送信する予定の光信号がセンタ側通信装置Ｃの光受信部７ｂに受信された時の受光レベルＲＣを予測値として知ることができ、かつ、センタ側通信装置Ｃの他の回線運用中の光受信部７ａに受信された時の受光レベルＲＣａを受光レベル情報Ｓ２から知ることができる。従って、ユーザ側通信装置Ｕｂの監視制御部１５ｂは、これらの要素を総合的に判断して、ユーザ側通信装置Ｕｂが送信する予定の光信号がセンタ側通信装置Ｃの光受信部７ｂに受信された場合に、所要Ｄ／Ｕ比を満足する受光レベルとなるか否かを予測して判断することができる。
【００３３】
例えば、ここでは光受信部７ａにおける受光レベルＲＣａを基準値として、その±５ｄＢｍの範囲内であれば、前記所要Ｄ／Ｕ比を満足するものとする。よって、監視制御部１５ｂは、ＲＣａ−５（ｄＢｍ）≦ＲＣｂ≦ＲＣａ＋５（ｄＢｍ）の場合、送信する予定の光信号を送信しても光受信部７ｂが所要Ｄ／Ｕ比を満足すると判断し、光送信制御信号Ｓ３を光送信部８ｂに送信する。光送信部８ｂは、受信した光送信制御信号Ｓ３に応じて光信号を送信して回線運用状態に移行する。
【００３４】
監視制御部１５ｂは、ＲＣａ−５（ｄＢｍ）＞ＲＣｂ又はＲＣａ＋５（ｄＢｍ）＜ＲＣｂの場合、送信する予定の光信号を送信すると光受信部７ｂが所要Ｄ／Ｕ比を満足しないと判断し、光送信制御信号Ｓ３を光送信部８ｂに送信しない。よって、光送信部８ｂは光信号を送信することはない。この場合、例えばディスプレイ（図示せず）等にその旨を表示したり、プリンタによってその旨を印刷したり、ランプを点灯・点滅したりして警告表示する。また、光減衰量を変更できる可変式の光減衰器１３を用いている場合には、監視制御部１５ｂから光減衰器１３に光減衰量制御信号を送信し、その光減衰量制御信号に応じて光減衰器１３の光減衰量を適切な値になるように制御してもよい。
【００３５】
本発明の波長多重光伝送システムによれば、ユーザ側通信装置Ｕに設けられた監視制御部１５により、センタ側通信装置Ｃに光信号を送信する前に、センタ側通信装置Ｃで受信されるときの受光レベルを予測し、送信することが適切であるか否かを判断することができ、適切であると判断した場合に限り光信号を送信するので、回線の新設時などに他の運用中の回線に悪影響を与えることを未然に防止でき、安定した回線運用が可能となる。
【００３６】
また、他の回線運用中の光受信部７ａの受光レベル情報Ｓ２に基づいて光送信部８ｂから光信号を出力するか否か判断するので、他の回線の運用状態に合わせて前記判断を行うことができ、より柔軟な回線運用を行うことができる。
【００３７】
図２は、ユーザ側通信装置の他の形態を示すブロック図である。この実施の形態のユーザ側通信装置Ｕは、上述した受光レベル情報Ｓ２を記憶するメモリ、ハードディスク、ＣＤ−ＲＯＭ、磁気ディスク等の記憶部１６を有することを特徴とするものである。この記憶部１６には、システム設計時に光受信部７の受光レベル値を予め設定しておく。
【００３８】
この実施の形態によれば、監視制御部１５は、受光レベル情報Ｓ２をセンタ側通信装置Ｃから受信することなく、記憶部１６から読み出すことができるので、動作の迅速化を図ることができる。なお、ユーザ側通信装置Ｕは、所定期間ごとに、センタ側通信装置Ｃから最新の受光レベル情報Ｓ２を入手して記憶部１６の内容を更新するのが好ましい。
【００３９】
本発明は、上記実施の形態に限定されることはなく、特許請求の範囲に記載された技術的事項の範囲内において、種々の変更が可能である。例えば、上記の実施の形態では、監視制御部１５ｂにおいて、光受信部７ｂの受光レベルＲＣｂがＲＣａ±５（ｄＢｍ）の範囲内の場合に所要Ｄ／Ｕ比を満足するものと判断しているが、本発明ではこれに限らず、例えば、ＲＣａ≧ＲＣｂを満たすか否かで判断したり、ＲＣａを用いず、単なる絶対値で判断する等、様々の判断の設定が可能である。
【００４０】
上記の実施の形態では、新規のユーザ側通信装置Ｕを設置する場合について適用される例が記載されているが、本発明はこれに限定されるものではない。例えば、既存のユーザ側通信装置Ｕから送信される光信号によるセンタ側通信装置Ｃの受光レベルが、何らかの要因（センタ側通信装置Ｃの波長分離部５ｂを異なるフィルタ特性のものに交換するなど）で、許容範囲を超えると予測される場合、ユーザ側通信装置Ｕの監視制御部１５が光信号の送信を停止させることも可能である。
【００４１】
また、受光レベル情報Ｓ２内に含まれる受光レベルの情報Ｓ１は１回線についてのみのデータでもよいが、複数回線のものとしてもよい。
【００４２】
さらに、ユーザ側通信装置Ｕから送信された光信号がセンタ側通信装置Ｃに受信されたときの光レベルが予め所定の値に決定されているような場合、センタ側通信装置Ｃは、受光レベル情報Ｓ２を送信する必要はなくなり、ユーザ側通信装置Ｕは記憶部１６を設ける必要もなくなる。この場合には、光伝送システムの構築がより簡単になる。
【００４３】
また、本実施の形態例では、一芯双方向光伝送システムの例を示しているが、本発明は、二芯双方向光伝送システムであっても用いることができる。
【００４４】
【発明の効果】
請求項１に係る本発明の波長多重光伝送システムによれば、ユーザ側通信装置が、送信される予定の光信号がセンタ側通信装置に適切な受光レベルで受信されるか否かを判断し、適切であると判断した場合に限り光信号を送信し、適切でないと判断した場合には、例えばディスプレイ等にその旨を表示したり、プリンタによってその旨を印刷したり、ランプを点灯・点滅したりして警告表示する。また、可変減衰器の光減衰量を変更してもよい。従って、回線の新設時などに他の運用中の回線に悪影響を与えることを未然に防止でき、安定した回線運用が可能となる。
【００４５】
請求項２に係る本発明の波長多重光伝送システムによれば、受光レベル情報を受信したユーザ側通信装置は、その受光レベル情報に基づいて光信号を送信するか否か判断するので、他の回線の運用状態に合わせて上記の判断を行うことができ、より柔軟な回線運用を行うことができる。
【００４６】
請求項３に係る本発明の波長多重光伝送システムによれば、ユーザ側通信装置は、受光レベル情報をセンタ側通信装置から受信することなく、自身の記憶手段から読み出すことができるので、動作の迅速化を図ることができる。
【図面の簡単な説明】
【図１】本発明の波長多重光伝送システムの全体構成を示すブロック図である。
【図２】ユーザ側通信装置の他の形態を示すブロック図である。
【図３】従来の波長多重光伝送システムの全体構成を示すブロック図である。
【図４】ユーザ側通信装置の合分波部の構成を示すブロック図である。
【図５】センタ側通信装置の光受信部における受光レベルと所要Ｄ／Ｕ比を示すグラフである。
【図６】光受信部の受光レベル範囲を示すグラフである。
【図７】波長分離部のフィルタ特性を説明するためのグラフであり、（Ａ）は光伝送線路に光減衰器を挿入しない場合、（Ｂ）は光伝送線路に光減衰器を挿入した場合を示す。
【図８】光伝送線路に光減衰器を挿入した波長多重光伝送システムの構成を概略的に示すブロック図である。
【符号の説明】
Ｃ：センタ側通信装置
Ｕ：ユーザ側通信装置
１：光伝送路
２：合分波装置
３：光分岐路
４：光送信部
５ａ：波長合波部
５ｂ：波長分離部
６：合分波部
７：光受信部
８：光送信部
９：光受信部
１０：合分波フィルタ部
１３：光減衰器
１４：監視制御部
１５：監視制御部
【図１】
0004190656.tif 000002
【図２】
0004190656.tif 000003
【図３】
0004190656.tif 000004
【図４】
0004190656.tif 000005
【図５】
0004190656.tif 000006
【図６】
0004190656.tif 000007
【図７】
0004190656.tif 000008
【図８】
0004190656.tif 000009